(57)【特許請求の範囲】
【請求項１】
原稿情報の取得から完全版下フィルムの作成に至るまでのプロセスをネットワークを介して行う製版システムであって、
前記原稿情報の取得を行うとともに、前記プロセスを統括制御する管理ホスト装置と、
前記管理ホスト装置から前記原稿情報を受け取り、当該原稿情報に基づき作成された複数色についての分版データを一時蓄積する分版用端末装置と、
各色についての版下フィルムデータの作成から色合わせまでの処理を行う複数台の端末装置と、
前記色合わせ処理が行われた版下フィルムデータを受け取り、各色ごとの完全版下フィルムを生成する版下フィルム作成用端末装置と、
を備えてなり、
前記版下フィルムデータの作成が並列的な処理で行われる
ことを特徴とする製版システム。
【請求項２】
原稿情報の取得から完全版下フィルムの作成に至るまでのプロセスをネットワークを介して行う製版システムであって、
前記原稿情報の取得を行うとともに、前記プロセスを統括制御する管理ホスト装置と、
前記管理ホスト装置から前記原稿情報を受け取り、当該原稿情報に基づき作成された複数色についての分版データを一時蓄積する分版用端末装置と、
前記分版端末装置から指定色についての前記分版データを受け取り、当該分版データに基づき作成された版下フィルムデータを一時蓄積する、前記複数台の版下フィルムデータ作成用端末装置と、
版下フィルムデータ作成用端末装置から版下フィルムデータを受け取り、当該版下フィルムデータについて網点処理、トラッピング処理およびリピート処理が施された版下フィルムデータを一時蓄積する版下フィルムデータ後処理用端末装置と、
前記各版下フィルムデータ作成用端末装置から版下フィルムデータを受け取り、当該各版下フィルムデータについて色合わせ処理が施された版下フィルムデータを一時蓄積する色合わせ処理用端末装置と、
前記色合わせ処理用端末装置から版下フィルムデータを受け取り、各色ごとの完全版下フィルムを生成する版下フィルム作成用端末装置と、
を備えてなり、
前記版下フィルムデータの作成が並列的な処理で行われる
ことを特徴とする製版システム。
【請求項３】
請求項２の版下フィルムデータ作成用端末装置および版下フィルムデータ後処理用端末装置に代えて、これら装置の機能を有する版下フィルムデータ作成・後処理用端末装置を備え、
前記色合わせ処理用端末装置は、前記版下フィルムデータ作成・後処理用端末装置から各色それぞれについての版下フィルムデータを受け取り、当該各版下フィルムデータについて色合わせ処理が施された版下フィルムデータを一時蓄積することを特徴とする請求項２に記載の製版システム。
【請求項４】
原稿情報の取得から完全版下フィルムの作成に至るまでのプロセスをネットワークを介して行う製版システムであって、
前記原稿情報の取得を行うとともに、前記プロセスを統括制御する管理ホスト装置と、
前記管理ホスト装置から前記原稿情報を受け取り、当該原稿情報に基づき作成された複数色についての分版データを一時蓄積する分版用端末装置と、
前記分版端末装置から色ごとの前記分版データを受け取り、当該分版データに基づき作成された各色の版下フィルムデータを一時蓄積する、複数台の版下フィルムデータ作成用端末装置と、
前記版下フィルムデータ作成用端末装置から版下フィルムデータを受け取り、当該版下フィルムデータについて網点処理が施された版下フィルムデータを一時蓄積する網点処理用端末装置と、
前記網点処理用端末装置用端末装置から網点処理が施された版下フィルムデータを受け取り、当該版下フィルムデータについてトラッピング処理が施された版下フィルムデータを一時蓄積するトラッピング処理用端末装置と、
前記トラッピング処理用端末装置からリピート処理が施された版下フィルムデータを受け取り、当該版下フィルムデータについてリピート処理が施された版下フィルムデータを一時蓄積するリピート処理用端末装置と、
前記リピート処理用端末装置から版下フィルムデータを受け取り、当該各版下フィルムデータについて色合わせ処理が施された版下フィルムデータを一時蓄積する色合わせ処理用端末装置と、
前記色合わせ処理用端末装置から版下フィルムデータを受け取り、各色ごとの完全版下フィルムを生成する版下フィルム作成用端末装置と、
を備えてなり、
前記版下フィルムデータの作成が並列的な処理で行われる
ことを特徴とする製版システム。
【請求項５】
前記版下フィルムデータ作成用端末装置は、前記複数色のそれぞれについて１台備えられていることを特徴とする請求項２から４の何れかに記載の製版システム。
【請求項６】
前記版下フィルム作成用端末装置が、版下用フィルムを印刷対象とするインクジェット式プリンタであることを特徴とする請求項１から５の何れかに記載の製版システム。
【請求項７】
前記インクジェット式プリンタによるインク滴噴射量が、２ｇ／ｍ2以上、４ｇ／ｍ2未満であることを特徴とする請求項６に記載の製版システム。
【請求項８】
前記プリンタのドット形成における着滴誤差が０．１％以下であることを特徴とする請求項６または７に記載の製版システム。
【発明の詳細な説明】
【０００１】
【発明の属する技術分野】
本発明は、原稿情報の取得から完全版下フィルムの作成に至るまでのプロセスをネットワークを介して効率よく行うことができる製版システムに関する。
【０００２】
【従来の技術】
印刷物を作成する場合、まず、クライアント（発注者）からの受注があると、原稿情報（デザイン済原稿）をデジタル化した後分版し、各色についてのトレスを行うことで、版下（たとえばＣ（藍），Ｍ（紅），Ｙ（黄），Ｋ（墨）の４枚の版下フィルム）が作成される。この版下フィルムをもとに、トラッピング・色合わせ等の処理が行われ、完全製版フィルム（完全版下）が作成される。
【０００３】
近年、コンピュータを用いて、原稿の画像読取り（スキャニング）、版下作成、版下フィルムの作成ができるＤＴＰ（Ｄｅｓｋ  Ｔｏｐ  Ｐｕｂｌｉｓｈｉｎｇ）等のアプリケーションソフトウェアが提供されるようになっている。
【０００４】
ＤＴＰアプリケーションでは、画面上で仕上がりに近いイメージを見ながら何度もシミュレートしてデータを作成することができ、また、作成したデータを版下生成装置（イメージセッタ，インクジェット式プリンタ等）を用いて製版フィルムに出力することができる。
【０００５】
一方、ＤＴＰアプリケーションを用いない伝統的な製版プロセスでは、製版における各プロセスをそれぞれの技術者が培ってきた、多大な知識と長期にわたる経験に基づき処理するので、信頼性が高い完全版下の作成が行われる。
【０００６】
【発明が解決しようとする課題】
ＤＴＰでは、製版における種々のプロセスを一人で処理しなくてはならず、実際には幾度となく作成データの修正が必要となる場合が多い。特に、ＤＴＰアプリケーションを使いこなせるようになるまでは、やはり高度な知識と長期にわたる経験が必要であり、これを自在に使用できる技術者数は必ずしも多くはない。
【０００７】
一方、伝統的な製版プロセスにおいては、クライアントからの受注から完全版下作成までに多数の技術者が関与し、かつ当該技術者の絶対数が少ないため、受注数に応じることができず、また納期遅れが生じる。特に、スクリーン印刷では、１０色を超える版下フィルムが必要とされるが、通常、１人の担当者が全ての版下フィルムを作成するため、試し刷りが行われるまでに長時間を要することになる。クライアントは、試し刷りされた印刷結果を見てチェックするのがせいぜいであり、印刷結果がクライアントの希望にそわない場合には、大幅な版下の修正が必要となることもあり、クライアントおよび製版者ともに、費用増、納期遅延等の不利益が生じる。
【０００８】
本発明の目的は、原稿情報の入手から版下フィルム完成に至るまでのプロセスを効率よく行うことができる製版システムを提供することにある。
【０００９】
【課題を解決するための手段】
本発明の第１態様の製版システムは、原稿情報の取得から完全版下フィルムの作成に至るまでのプロセス（製版プロセス）をインターネット，ＬＡＮ等のネットワークを介して行うもので、前記原稿情報の取得を行うとともに、製版プロセスを統括制御する管理ホスト装置と、管理ホスト装置から前記原稿情報を受け取り、分版処理、および各色についての版下フィルムデータの作成から色合わせまでの処理を行う少なくとも１台の端末装置と、色合わせ処理が行われた版下フィルムデータを受け取り、各色ごとの完全版下フィルムを生成する版下フィルム作成用端末装置とを備えたことを特徴とする。
【００１０】
本発明の第２態様の製版システムは、原稿情報の取得から完全版下フィルムの作成に至るまでのプロセスを、ネットワークを介して行うものであって、管理ホスト装置と、分版用端末装置と、版下フィルムデータ作成用端末装置と、版下フィルムデータ後処理用端末装置と、色合わせ処理用端末装置と、版下フィルム作成用端末装置とを備えたことを特徴とする。
【００１１】
第２態様では、管理ホスト装置は、原稿情報の取得を行うとともに、製版プロセスを統括制御する。具体的には、クライアント（発注者）から受け取った原稿（紙）をスキャナで読取り、ハードディスク等の二次記憶装置に蓄積しておく。また、管理ホスト装置は、光磁気ディスク，ＣＤＲＯＭ等に記憶された画像データを原稿データとして受け取り、あるいはデータ通信網を介して画像データを受け取ることができる。
【００１２】
分版用端末装置は、管理ホスト装置から原稿情報を受け取り、当該原稿情報に基づき作成された複数色についての分版データを一時蓄積する。版下フィルムデータ作成用端末装置は、少なくとも１台がシステムに組み込まれる。この版下フィルムデータ作成用端末装置は、複数色の各色ごとに設けることもできるし、分版端末装置から指定色についての分版データを受け取り、当該原稿に基づき作成された版下フィルムデータを一時蓄積する。たとえば、４色分の版下フィルムが必要な場合に、４台の版下フィルムデータ作成用端末装置により各版下フィルムを作成することもできるし、２台の版下フィルムデータ作成用端末装置により４色分の版下フィルムを作成する（たとえば、それぞれが２色分の版下フィルムを作成する）こともできる。
【００１３】
版下フィルムデータ後処理用端末装置は、版下フィルムデータ作成用端末装置から版下フィルムデータを受け取り、当該版下フィルムデータについて網点処理、トラッピング処理およびリピート処理が施された版下フィルムデータを一時蓄積する。
色合わせ処理用端末装置は、各版下フィルムデータ作成用端末装置から版下フィルムデータを受け取り、当該各版下フィルムデータについて色合わせ処理が施された版下フィルムデータを一時蓄積する。
版下フィルム作成用端末装置は、色合わせ処理用端末装置から、各色それぞれについての版下フィルムを受け取り、各色ごとの完全版下フィルムを生成する。
【００１４】
第２態様の製版システムでは、上述した版下フィルムデータ作成用端末装置および版下フィルムデータ後処理用端末装置に代えて、これら装置の機能を有する版下フィルムデータ作成・後処理用端末装置を備えることができる。この場合には、色合わせ処理用端末装置は、版下フィルムデータ作成・後処理用端末装置から各色それぞれについての版下フィルムデータを受け取り、当該各版下フィルムデータについて色合わせ処理が施された版下フィルムデータを一時蓄積する。
【００１５】
本発明の第３態様の製版システムは、原稿情報の取得から完全版下フィルムの作成に至るまでのプロセス（製版プロセス）を、インターネット，ＬＡＮ等のネットワークを介して行うものであって、管理ホスト装置と、分版用端末装置と、版下フィルムデータ作成用端末装置と、網点処理用端末装置と、トラッピング処理用端末装置と、リピート処理用端末装置と、版下フィルム作成用端末装置とを備えたことを特徴とする。
【００１６】
第３態様の製版システムでは、第１および第２態様と同様、管理ホスト装置は原稿情報の取得を行うとともに、前記プロセスを統括制御し、分版用端末装置は管理ホスト装置から原稿情報を受け取り、当該原稿情報に基づき作成された複数色についての原稿を一時蓄積する。また、第３態様の製版システムでも、版下フィルムデータ作成用端末装置は、第２態様と同様、少なくとも１台が製版システムに組み込まれ、分版端末装置から色ごとの前記原稿を受け取り、当該原稿に基づき作成された各色の版下フィルムデータを一時蓄積する。
【００１７】
第３態様の製版システムでは、第２態様の版下フィルムデータ後処理用端末装置に代るものとして、網点処理用端末装置と、トラッピング処理用端末装置と、リピート処理用端末装置と、版下フィルム作成用端末装置とが備えられる。
網点処理用端末装置は、版下フィルムデータ作成用端末装置から版下フィルムデータを受け取り、当該版下フィルムデータについて網点処理が施された版下フィルムデータを一時蓄積する。
トラッピング処理用端末装置は、網点処理用端末装置から網点処理が施された版下フィルムデータを受け取り、当該版下フィルムデータについてトラッピング処理が施された版下フィルムデータを一時蓄積する。
リピート処理用端末装置は、トラッピング処理用端末装置からリピート処理が施された版下フィルムデータを受け取り、当該版下フィルムデータについてリピート処理が施された版下フィルムデータを一時蓄積する。
【００１８】
色合わせ処理用端末装置は、リピート処理用端末装置から版下フィルムデータを受け取り、当該各版下フィルムデータについて色合わせ処理が施された版下フィルムデータを一時蓄積する。
版下フィルム作成用端末装置は、色合わせ処理用端末装置から版下フィルムデータを受け取り、各色ごとの完全版下フィルムを生成する。
【００１９】
第１，第２および第３態様の製版システムでは、ともに管理ホスト装置は、ネットワークを介して製版プロセスの進捗状況の管理を、たとえば管理テーブル等を用いて行うことができる。この管理テーブルは、たとえば、「受注番号」、「受注日」、「クライアント名」、「クライアント連絡先」（電子メールアドレス等）、「現在プロセス」（現在どのプロセスにあるか）等の項目から構成することができる。
【００２０】
第１，第２および第３態様の製版システムでは、ホスト装置および各端末装置がインターネットを介して接続されていてもよいし、ＬＡＮを介して接続されていてもよい。もちろん、１つの製版システムを構成するがホスト装置および各端末装置が、２つのＬＡＮに分割され、各ＬＡＮがインターネットに接続されていてもよい。なお、第１態様および第２態様の製版システムでは、電子メール添付のファイルとして各装置間で版下フィルムデータ等のやり取りを行うことができる。
【００２１】
また、第１，第２および第３態様の製版システムでは、各端末装置は管理ホスト装置の管理テーブルの「現在プロセス」欄に処理の終了、進捗状況を書込むことができ、管理ホスト装置では、受注番号ごとに製版進捗状況を把握することができる。
【００２２】
本発明の製版システム（第１態様および第２態様の製版システム）では、版下フィルム作成用端末装置は、イメージセッタとすることもできるし、インクジェット式プリンタとすることができる。
【００２３】
第１態様および第２態様の製版システムでは、特に版下フィルムデータ作成用端末装置が複数台備えられている場合には、版下フィルムデータ作成に際して、並列的な処理（版下フィルムの作成）が行われるので、納期遅れが生じることもないし、試し刷りまでに要する時間が短縮される。また、各端末装置は、それぞれ処理の途中で、あるいは処理が一通り終了した時点で、管理ホスト装置やクライアントにネットワークを介して処理の良否確認等ができるので、大幅な版下の修正が必要となることがなくなる。
【００２４】
【発明の実施の形態】
図１は本発明の第１実施形態の製版システム図である。図１では、インターネット１００と、製版業者が所有するＬＡＮ２００にわたって構築された製版システム１が示されている。ＬＡＮ２００には、管理ホスト装置１１と、分版用端末装置１２と、版下フィルムデータ作成用端末装置１３１と、版下フィルムデータ後処理用端末装置１４と、色合わせ処理用端末装置１５と、版下フィルム作成用端末装置１６とが接続されている。ＬＡＮ２００は、ゲートウェイ（ＧＷ）３０１を介してインターネット１００に接続されており、インターネット１００には、版下フィルムデータ作成用端末装置１３２〜１３４がゲートウェイ３０２〜３０４を介して接続されている。なお、図１では、クライアントの端末装置５１が、ゲートウェイ３０５を介してインターネット１００に接続されている。
【００２５】
図２は、図１に示した製版システム１における、データ、電子メール等の情報の流れを示す図である。図２において、太い実線は原稿情報にかかる画像データあるいは版下フィルムデータの流れを示し、細い実線は、管理ホスト装置１１と、各端末装置１２，１３１〜１３４，１４，１５，１６との間の情報の流れを示している。また、細い破線は、クライアント端末装置５１と、各端末装置１２，１３１〜１３４，１４，１５，１６との間の情報の流れを示している。
【００２６】
以下、図１および図２を参照して、製版システム１の動作を説明する。
クライアントは、デザイン済みの原稿情報を紙の形で製版業者に渡すこともできるし、ＭＯ，ＣＤＲＯＭの記憶媒体に格納して画像データの形で製造業者に渡すこともできる。あるいは、クライアントは、自己保有の端末装置５１から電子メール添付の画像データとして製造業者の管理ホスト装置１１に送信することもできる。
【００２７】
管理ホスト装置１１は、クライアントから原稿情報を紙の形で受け取ったときは、当該原稿をイメージスキャナで読み取り、画像データの形でハードディスク等の記憶装置に格納する。また、管理ホスト装１１は、画像データを格納した光磁気ディスク，ＣＤＲＯＭを受け取ったときや画像データが添付された電子メールをクライアント端末装置５１から受け取ったときはこれをハードディスク等に格納する。
【００２８】
管理ホスト装置１１のオペレータは、画像データを分版用端末装置１２に送信する。本実施形態では、分版用端末装置１２のオペレータは、受信した画像データを、色分解用のアプリケーションソフトウェア（単に、「アプリケーション」と言う）を用いてＣ，Ｍ，Ｙ，Ｋの色ごとに分版し、これらを、ＬＡＮ２００を介して版下フィルムデータ作成用端末装置１３１に、またはインターネット１００を介して版下フィルムデータ作成用端末装置１３２〜１３４に送信する。
【００２９】
版下フィルムデータ作成用端末装置１３１〜１３４のオペレータは、受け取った画像データから指定された色についての版下フィルムデータを版下作成用のアプリケーションを用いて作成し、ハードディスク等に一時蓄積しておく。本実施形態では、版下フィルムデータ作成用端末装置１３１〜１３４での処理は、４人のオペレータにより並列的に行われている。
【００３０】
版下フィルムデータ作成用端末装置１３１のオペレータは、版下フィルムデータを作成すると、これをＬＡＮ２００を介して版下フィルムデータ後処理用端末装置１４に送信する。また、版下フィルムデータ作成用端末装置１３２〜１２４のオペレータは、版下フィルムデータを作成するとこれをインターネット１００、ＬＡＮ２００を介して版下フィルムデータ後処理用端末装置１４に送信する。
【００３１】
版下フィルムデータ後処理用端末装置１４のオペレータは、版下フィルムデータ作成用端末装置１３１〜１３４から送られてきた４枚の版下フィルムデータについて後処理（ここでは、網点処理、トラッピング処理およびリピート処理）を施し、ハードディスク等に一時蓄積するとともに、処理済みの版下フィルムデータを色合わせ処理用端末装置１５に送信する。
色合わせ処理用端末装置１５のオペレータは、受信した上記後処理済みの版下フィルムデータについての色合わせを行い、これを、ハードディスク等に一時蓄積するとともに、版下フィルム作成用端末装置１６に送信する。
【００３２】
版下フィルム作成用端末装置１６のオペレータは、受信した色合わせ済みの版下フィルムデータから、Ｃ，Ｍ，Ｙ，Ｋの版下フィルムを作成する。本実施形態では、版下フィルム作成用端末装置１６は、版下用フィルムを印刷対象とするインクジェット式プリンタである。インクジェット式プリンタによる出力に際しては、プリンタドライバ・ＲＩＰ（ラスタイメージプロセッサ）、プリンタ内制御プログラム等を製版用に設定する。
本実施形態では、インク滴噴射量が、２ｇ／ｍ２以上、４ｇ／ｍ２未満、ドット形成における着滴誤差０．１％以下のものが使用されている。また、いわゆるインク滴の着滴ポイント誤差から生じるスジを低減させるために、重ね塗り（パス）を４回以上とし、スクリーニングをできるだけ散らす設定としてある。
【００３３】
この版下フィルムは、完全版下として印刷部門Ｐに配送され、印刷部門Ｐにおいて製品（たとえば、パンフレット等の印刷物）が作成され、当該製品はクライアントに納品される。
【００３４】
本実施形態では、版下フィルムデータ作成用端末装置１３１〜１３４とは別個に版下フィルムデータ後処理用端末装置１４により網点処理、トラッピング処理を行ったが、版下フィルムデータ作成用端末装置１３１〜１３４が網点処理、トラッピング処理を行うようにしてもよい。
【００３５】
図３は、管理ホスト装置１１に用意される管理テーブルＭｔｂｌを示す図である。この管理テーブルＭｔｂｌには、「受注番号」、「受注日」、「クライアント名」、「クライアント電子メールアドレス」、「現在プロセス」の項目から構成されている。管理テーブルＭｔｂｌには、各端末装置１２，１３１〜１３４，１４，１５，１６から「現在プロセス」に処理の終了、進捗状況等が書き込まれるので、管理ホスト装置１１では、受注番号によりに製版進捗状況を把握することができる。また、各端末装置１２，１３１〜１３４，１４，１５，１６は、管理ホスト装置１１やクライアントの端末装置５１と情報のやり取りができ、クライアントの要求に応じた印刷物を提供することができる。
【００３６】
図４は本発明の第２実施形態の製版システム図である。図４では、インターネット１００と、製版業者が所有するたとえば本社のＬＡＮ３００および支社のＬＡＮ４００にわたって構築された製版システム２が示されている。ＬＡＮ３００には、管理ホスト装置２１と、分版用端末装置２２と、色合わせ処理用端末装置２７と、版下フィルム作成用端末装置２８とが接続されている。また、ＬＡＮ４００には、網点処理用端末装置２４と、トラッピング処理用端末装置２５と、リピート処理用端末装置２６とが接続されている。ＬＡＮ３００，ＬＡＮ４００は、ゲートウェイ３１１，３１２を介してそれぞれインターネット１００に接続されており、インターネット１００には、版下フィルムデータ作成用端末装置２３がゲートウェイ３１３を介して接続されている。なお、図４では、クライアントの端末装置５２が、ゲートウェイ３１４を介してインターネット１００に接続されている。
【００３７】
図５は、図４に示した製版システムにおける、データ、電子メール等の情報の流れを示す図である。図５において、太い実線は原稿情報にかかる画像データあるいは版下フィルムデータの流れを示し、細い実線は、管理ホスト装置２１と、各端末装置２２，２３，２４〜２８との間の情報の流れを示している。また、細い破線は、クライアント端末装置５２と、各端末装置２２，２３，２４〜２８との間の情報の流れを示している。
【００３８】
以下、図４および図５を参照して、製版システム２の動作を説明する。
管理ホスト装置２1がクライアントから原稿情報を受け取るときの動作は第１実施形態と同様である。管理ホスト装置２１のオペレータは、上記の画像データを分版用端末装置２２に送信し、分版用端末装置２２のオペレータは、受信した画像データを、色分解用のアプリケーションを用いてＣ，Ｍ，Ｙ，Ｋの色ごとに分版すること、これをＬＡＮ３００およびインターネット１００を介して版下フィルムデータ作成用端末装置２３に送信することも第１実施形態と同様である。
【００３９】
版下フィルムデータ作成用端末装置２３のオペレータは、版下作成用のアプリケーションを用いて受け取った画像データからＣ，Ｍ，Ｙ，Ｋについて色ごとの版下フィルムデータを作成し、ハードディスク等に一時蓄積しておく。版下フィルムデータ作成用端末装置２３のオペレータは、版下フィルムデータを作成し、これをインターネット１００、ＬＡＮ４００を介して支店に備えてある網点処理用端末装置２４に送信する。
【００４０】
網点処理用端末装置２４のオペレータは、Ｃ，Ｍ，Ｙ，Ｋの４枚の版下フィルムデータについて網点処理を行い、処理後の版下フィルムデータをハードディスク等に一時蓄積しておくとともに、トラッピング処理用端末装置２５に送信する。トラッピング処理用端末装置２５のオペレータは、版下フィルムデータにトラッピング処理を施し、処理後の版下フィルムデータをハードディスク等に一時蓄積しておくとともに、リピート処理用端末装置２６に送信する。リピート処理用端末装置２６のオペレータは、版下フィルムデータにリピート処理を施し、処理後の版下フィルムデータをハードディスク等に一時蓄積しておくとともに、色合わせ処理用端末装置２７に送信する。
【００４１】
色合わせ処理用端末装置２７のオペレータは、受信した上記後処理済みの版下フィルムデータについての色合わせを行いこれを、ハードディスク等に一時蓄積し、版下フィルム作成用端末装置２８に送信する。版下フィルム作成用端末装置２８のオペレータは、第１実施形態におけると同様、受信した色合わせ済みの版下フィルムデータから、Ｃ，Ｍ，Ｙ，Ｋの版下フィルムを作成する。
この版下フィルムは、完全版下として印刷部門Ｐに配送され、印刷部門Ｐにおいて印刷された後、クライアントに納品される。
【００４２】
なお、管理ホスト装置２１には、第１実施得形態と同様、図３に示したと同様の管理テーブルを備えておくことができる。したがって、各端末装置２２〜２８は、管理ホスト装置２１やクライアントの端末装置５２と情報のやり取りができ、クライアントの要求に応じた印刷物を提供することができる。
【００４３】
【発明の効果】
本発明は、製版における、分版、版下フィルムデータ作成（トレス）、網点処理、トラッピング、色合わせ等のプロセスを複数の端末装置のオペレータがネットワーク上で分業することができ、しかも、クライアントの希望等を各プロセスにおいてネットワークを介して確認等ができるし、仕様変更等にも柔軟に対処することができる。
【００４４】
特に、版下フィルムデータ作成（トレス）プロセスを分業する場合には、受注（原稿情報の入手）から完全版下フィルムの作成までの時間が大幅に短縮されるので、納期遅延等の不利益が生じることはない。
【図面の簡単な説明】
【図１】本発明の第１実施形態の製版システム図である。
【図２】図１に示した製版システムにおける、データ、電子メール等の情報の流れを示す図である。
【図３】管理ホスト装置に用意される管理テーブルの一例を示す図である。
【図４】本発明の第２実施形態の製版システム図である。
【図５】図４に示した製版システムにおける、データ、電子メール等の情報の流れを示す図である。
【符号の説明】
１，２  製版システム
１１，２１  管理ホスト装置
１２，２２  分版用端末装置
１４  版下フィルムデータ後処理用端末装置
１５，２７  色合わせ処理用端末装置
１６，２８  版下フィルム作成用端末装置
２３，１３１〜１３４  版下フィルムデータ作成用端末装置
２４  網点処理用端末装置
２５  トラッピング処理用端末装置
２６  リピート処理用端末装置
５１，５２  クライアントの端末装置
１００  インターネット
２００，３００，４００  ＬＡＮ
３０１〜３０５，３１１〜３１４  ゲートウェイ
【図１】
0004157327.tif 000002
【図２】
0004157327.tif 000003
【図３】
0004157327.tif 000004
【図４】
0004157327.tif 000005
【図５】
0004157327.tif 000006